(57)【要約】      （修正有）【課題】プリント装置に備えられた原稿読取装置を小さくする。【解決手段】プリント装置は、ロールシート２０１を支持する支持部と、ロールシートから供給されたシートに記録を行うプリント手段１３と、プリント手段１３を覆うカバー部材２４と、原稿を支持する支持面を有する原稿セット部３１及び原稿セット部３１から搬送された原稿を読み取る読取手段３と、を備える。さらに、プリント装置は、原稿読取装置を原稿の読み取りを行う読取位置と読取位置から退避する退避位置とに移動させる移動手段８０を備える。カバー部材２４は、読取位置において支持面と共に原稿を支持案内する外面を有する。【選択図】図８
2020120144.tif 000002
【特許請求の範囲】
【請求項１】
ロールシートを支持する支持部と、
前記支持部に支持されたロールシートから供給されたシートにプリントを行うプリント手段と、
前記プリント手段を覆うカバー部材と、
原稿を支持する支持面を有する原稿セット部、及び当該原稿セット部から搬送された原稿を読み取る読取手段を備える原稿読取装置と、を備えたプリント装置であって、
前記原稿読取装置を原稿の読み取りを行う読取位置と当該位置から退避する退避位置とに移動させる移動手段を備え、
前記カバー部材は、前記読取位置において前記支持面と共に原稿を支持案内する外面を有することを特徴とするプリント装置。
【請求項２】
前記退避位置は、前記支持部に前記ロールシートをセットする際に当該ロールシートが移動する空間領域の外側であることを特徴とする請求項１に記載のプリント装置。
【請求項３】
前記原稿読取装置は、前記原稿を所定の搬送方向へ搬送しつつ当該原稿の読み取りを行うことを特徴とする請求項１に記載のプリント装置。
【請求項４】
前記カバー部材は、前記プリント手段を覆う閉塞位置と前記プリント手段を開放する開放位置とに移動可能であることを特徴とする請求項１ないし３のいずれか１項に記載のプリント装置。
【請求項５】
前記カバー部材は、前記原稿読取装置が前記読取位置にあるとき、前記原稿読取装置と接触することなく前記閉塞位置と前記開放位置とに移動可能であることを特徴とする請求項４に記載のプリント装置。
【請求項６】
前記原稿セット部は、前記原稿読取装置が前記読取位置にあるとき、前記カバー部材と重ならない位置に位置することを特徴とする請求項５に記載のプリント装置。
【請求項７】
前記原稿セット部は、前記原稿読取装置が前記読取位置にあるとき、前記カバー部材と重なる位置に位置することを特徴とする請求項１ないし４のいずれか１項に記載のプリント装置。
【請求項８】
前記カバー部材は、前記プリント手段を覆う状態にあるとき、前記原稿の搬送方向における上流部が下方に向けて湾曲する曲面部を有することを特徴とする請求項１ないし７のいずれか１項に記載のプリント装置。
【請求項９】
前記原稿読取装置は、当該原稿読取装置の側部に設けられた移動手段によって前記読取位置と前記退避位置とに移動可能に保持されていることを特徴とする請求項１ないし８のいずれか１項に記載のプリント装置。
【請求項１０】
前記プリント手段は、前記ロールシートを外部から前記支持部への移動を案内する案内部材を有し、
前記案内部材によって案内される前記ロールシートは、前記プリント手段に形成される空間領域を移動することを特徴とする請求項１ないし９のいずれか１項に記載のプリント装置。
【請求項１１】
前記案内部材は、前記ロールシートを支持する仮置き部を有することを特徴とする請求項１０に記載のプリント装置。
【請求項１２】
前記プリント手段は、前記原稿読取装置を前記読取位置に支持する読取位置規制部材を有することを特徴とする請求項１ないし１１のいずれか１項に記載のプリント装置。
【請求項１３】
前記読取位置規制部材は、前記ロールシートを外部から前記支持部への移動を案内する案内部材によって構成され、前記原稿読取装置は、前記ロールシートを支持する仮置き部によって前記読取位置に支持されることを特徴とする請求項１２に記載のプリント装置。
【請求項１４】
前記原稿セット部の前記搬送方向における上流側部分は、前記搬送方向における下流側部分より下方に位置するように傾いていることを特徴とする請求項３ないし１３のいずれか１項に記載のプリント装置。
【発明の詳細な説明】
【技術分野】
【０００１】
本発明は、シートへの記録を行うプリント手段と原稿の読み取りを行う原稿読取装置とを備えたプリント装置に関する。
【背景技術】
【０００２】
現在、Ａ２以上の大判サイズのシートへの記録、及び大判サイズの原稿の読み取りなどを行う複合的な機能を有するプリント装置が提案、実施されている。このようなプリント装置として、特許文献２には、大型のプリント装置に設けられたロールシートの格納部上方に、大判サイズの原稿を読み取る読取装置を配置するものが開示されている。
【先行技術文献】
【特許文献】
【０００３】
【特許文献１】特開２０１６−００５８９５号公報
【発明の概要】
【発明が解決しようとする課題】
【０００４】
特許文献１に示すように大判サイズの原稿を読取可能とする読取装置では、大判サイズの原稿のセット性及びセットされた原稿の支持案内の適正化を図るため、読取装置の挿入口から前方に長く突出した原稿セット部が設けられている。このため、読取装置が大きくなるという課題がある。
【０００５】
本発明は、プリント装置に備えられた原稿読取装置を小さくすることを目的とする。
【課題を解決するための手段】
【０００６】
本発明は、ロールシートを支持する支持部と、前記支持部に支持されたロールシートから供給されたシートにプリントを行うプリント手段と、前記プリント手段を覆うカバー部材と、原稿を支持する支持面を有する原稿セット部、及び当該原稿セット部から搬送された原稿を読み取る読取手段を備える原稿読取装置と、を備えたプリント装置であって、前記原稿読取装置を原稿の読み取りを行う読取位置と当該位置から退避する退避位置とに移動させる移動手段を備え、前記カバー部材は、前記読取位置において前記支持面と共に原稿を支持案内する外面を有することを特徴とする。
【発明の効果】
【０００７】
本発明よれば、プリント装置に備えられた原稿読取装置を小さくすることができる。
【図面の簡単な説明】
【０００８】
【図１】本発明の実施形態におけるプリント装置を示す模式的斜視図である。
【図２】プリント部の模式的断面図である。
【図３】読取装置の模式的断面図である。
【図４】制御系の概略構成を示すブロック図である。
【図５】読取装置の移動手段の構成を示す模式的斜視図である。
【図６】読取装置を退避位置に移動させた状態を示す模式的断面図である。
【図７】読取装置を退避位置に移動させた状態を示す模式的正面図である。
【図８】読取装置を読取位置に移動させた状態を示す模式的断面図である。
【図９】上部カバーを開放位置に移動させた状態を示す模式的断面図である。
【図１０】読取装置を退避位置にした状態で上部カバーを開放位置に移動させた状態を示す模式的断面図である。
【図１１】本発明に係る第２の実施形態において読取装置を読取位置に移動させた状態を示す模式的断面図である。
【発明を実施するための形態】
【０００９】
以下、本発明の実施形態について図面を参照しつつ説明する。なお、各図面を通して同一または対応部分には同一符号を付す。また、図中、ＸとＹは水平面において互いに直交する２つの軸線方向を示し、Ｚは鉛直方向を示している。さらに、Ｙ１、Ｙ２はＹ軸線方向と平行する方向であって、Ｙ１は後述の読取装置３における原稿の搬送方向を、Ｙ２はＹ１に対する逆方向をそれぞれ示している。また、Ｚ１は鉛直方向上方を、Ｚ２は鉛直方向下方を示している。
【００１０】
（第１の実施形態）
図１は本施形態におけるプリント装置を示す模式的斜視図である。図１において、プリント装置１は、シートへの記録を行うプリント部２と、原稿に記載された画像などを読み取る読取装置（原稿読取装置）３とを含み構成されている。プリント部２は、後述の各機構を保持する本体部４と、本体部４を所定の高さ位置に保持する脚部５とを有している。読取装置３は、プリント部２に設けられた移動手段８０（図５参照）によって本体部４の上部に保持されている。本体部４の外殻をなす外装部４１には、種々の設定操作やコマンドの入力、及びプリント部２や読取装置３に関する情報の確認等を行うための操作パネル６が設けられている。
【００１１】
次に、図２を参照して、プリント部２の概略構成について説明する。図２は本実施形態におけるプリント部２の模式的断面図である。プリント部２は、ロールシート２０１から供給されたシート及び不図示の積載部から給送されたカットシートに対して選択的に画像を記録することが可能である。
【００１２】
ロールシート２０１に画像を記録する場合、ユーザは、まずロールシート２０１の中心孔にロールホルダ７を装着し、そのロールホルダ７をプリント部２に設けられた支持部７１（図２）に回動自在に支持させる。ロールホルダ７を支持部７１に支持させた後、ユーザは、ロールシート２０１から引き出したシートを、下ガイド８の上面に沿って下流側へと送る。ここでロールシート２０１の先端が搬送ローラ９と従動ローラ１０とのニップ部に達すると、搬送ローラ９が搬送モータ５１（図４）によって回転する。これによりシートは搬送ローラ９と従動ローラ１０の間に挟持される。この後、シートは、搬送ローラ９の回転によってプラテン１１へと搬送される。
【００１３】
プラテン１１は、シートを裏面から支持してシートを平坦に状態に保ち、プリント手段としての記録ヘッド１３とシートとの間に記録に適した間隙を保つ。プラテン１１でのシートの浮上、撓みなどを防ぐため、プラテン１１には、シートを吸引するための複数の吸気孔が形成されている。吸引孔はダクト１５を介して吸引ファン５２に連通している。吸引ファン５２を駆動することにより、プラテン１１の吸気孔には負圧が発生し、プラテン１１上を通過するシートは吸引孔にて吸引されながら、プラテン１１上を移動する。
【００１４】
キャリッジ１２は、キャリッジシャフト１４に沿ってＸ方向（主走査方向）に往復移動する。キャリッジ１２には記録ヘッド１３が搭載されている。記録ヘッド１３には、インクを吐出する吐出口が、Ｘ方向と交差する方向（本実施形態では直交する方向（Ｙ方向））に沿って複数配列されている。
【００１５】
キャリッジ１２と共にＸ方向へと移動する間に、記録ヘッドの吐出口からは記録データに従ってインクが吐出される。その結果、シートには、吐出口の配列数に相当する幅の画像（１バンド分の画像）が記録される。１バンド分の画像が記録されると、シートは搬送ローラ９の回転によってＹ方向へと所定の距離だけ搬送される。この後、再びキャリッジ１２の移動と記録ヘッド１３によるインクの吐出が行われ、次のバンド分の画像が記録される。このシートへの記録動作とシートの搬送動作とを繰り返すことにより、シートには所定の画像（例えば、１ページ分の画像）が記録される。
【００１６】
以上のように、本実施形態におけるプリント部２は、記録ヘッド１３を移動させながらシートへの記録を行う、所謂シリアル型のプリンタを構成している。また、本体部４内には、記録ヘッド１３より搬送方向（Ｙ方向）下流側にカッタ１６が設けられ、ロールシート２０１から引き出されたシートを所定長さに切断することが可能になっている。
【００１７】
なお、記録媒体としてカットシートを用いる場合には不図示の積載部に積載されたカットシートを一枚ずつ搬送ローラ９及び従動ローラ１０のニップ部へと送る。記録動作はロールシート２０１を用いた場合と同様に行う。
【００１８】
本体部４の外装部４１の正面側上方部には、記録ヘッド１３の上方を覆う上部カバー（カバー部材）２４が、回転中心２４ｂを中心に回転可能に設けられている。このため、上部カバー２４は、図２に示すように記録ヘッド１３の上方を覆う閉塞位置と、図９または図１０に示すように記録ヘッド１３を外部に開放する開放位置とに回転移動することができる。なお、この上部カバー２４の構成及び動作については、後に、より詳細に説明する。
【００１９】
次に、図３を参照して、本実施形態における読取装置３の概略構成を説明する。なお、図３は図１に示す読取装置３の模式的断面図である。図３において、読取装置３は、原稿２０２を搬送しながら、読取手段３８によって画像の読み取りを行う。この読取装置３には、原稿を挿入する挿入口３Ａから原稿を排出する排出口３Ｂに至る搬送経路３Ｐが設けられている。挿入口３Ａから挿入された原稿は、この搬送経路３Ｐに沿って搬送される。読取装置３には、挿入口３Ａの下縁部から前方（図３において左方）に突出する平板状の原稿セット部３１が設けられている。原稿セット部３１は挿入口３Ａと略同一の幅（Ｘ方向の長さ）を有しており、原稿の読取面とは反対側の面である非読取面側から原稿を支持し、挿入口３Ａへの原稿の挿入を案内する。また読取装置３の背面側（図３において右側）には、原稿排出口から排出された原稿を、読取装置３の上面に案内する湾曲した原稿排出部３９が設けられている。搬送経路３Ｐにおける上流側には上流側搬送手段３４が設けられ、下流側には下流側搬送手段３７が設けられている。これらの搬送手段３４、３７により搬送経路３Ｐに沿って原稿が搬送される。上流側搬送手段３４は上流側搬送ローラ３２とこれに対向して設けられた上流側従動ローラ３３とにより構成される。下流側搬送手段は、下流側搬送ローラ３５と、これに対向して設けられた下流側従動ローラ３６とにより構成される。
【００２０】
上流側搬送手段３４と下流側搬送手段３７との間には原稿の読取を行う読取手段３８が設けられている。読取手段３８は使用される大判の原稿に対応する幅に受光素子を配列したＣＩＳ（Ｃｏｎｔａｃｔ  Ｉｍａｇｅ  Ｓｅｎｓｏｒ）によって構成されている。但し、ＣＣＤ等を用いた他のリニアセンサを用いることも可能である。
【００２１】
読取装置３によって原稿の読取を行う場合、ユーザは、原稿２０２の前方部分を原稿セット部３１に載せ、原稿セット部３１の案内面（上面）３１ａに沿って挿入口３Ａに挿入する。原稿２０２の先端が挿入口３Ａから搬送経路３Ｐ内に挿入されると、挿入口３Ａの近傍に設けられた上流原稿センサ６１が原稿を検出し、原稿２０２が挿入口３Ａに挿入されたことを検出する。原稿２０２の先端が上流側搬送ローラ３２と上流側従動ローラ３３とからなる上流側搬送手段３４のニップ部に達すると、図４に示す原稿搬送モータ５３によって上流側搬送ローラ３２が正方向に回転する。これにより、原稿２０２は、上流側搬送ローラ３２と上流側従動ローラ３３との間に侵入し、挟持される。なお、本実施形態では上流原稿センサ６１が原稿２０２の先端を検出してから、上流側搬送ローラ３２を回転駆動するまでに遅延時間を設けている。この遅延時間は、原稿２０２の先端の幅方向全域が、上流側搬送手段３４のニップ部に突き当たるまでの待機時間に相当する。原稿２０２の先端全域がニップに突き当たった状態で上流側搬送ローラ３２を回転することにより、上流側搬送ローラ３２に対して原稿２０２の先端が斜めにセットされた状態で搬送されることを抑制することができる。遅延時間については、０．５〜２秒程度が適している。但し、上流原稿センサ６１と上流側搬送手段３４との間の距離によって遅延時間の最適値は変化する。
【００２２】
上流側搬送ローラ３２が回転駆動されることにより、原稿２０２は読取手段３８へと搬送される。その後、原稿２０２は、上流側搬送ローラ３２と同様に原稿搬送モータ５３によって正方向に回転する下流側搬送ローラ３５と下流側従動ローラ３６とに挟持され、下流原稿センサ６２が原稿２０２を検出するまで搬送される。その間、読取手段３８は、プレ検出動作として読取手段３８の読取領域を通過する原稿２０２の読取動作を実行する。この読取動作によって原稿２０２の幅や傾きに関する情報が取得される。プレ検出動作が終了すると、原稿搬送モータ５３により上流側搬送ローラ３２と下流側搬送ローラ３５を逆方向に回転させて原稿２０２を上流側へと戻し、スタンバイ状態とする。なお、この原稿の戻し動作では、スタンバイ状態での原稿２０２の先端位置が、搬送方向（Ｙ１方向）において、上流側搬送手段３４のニップ部より下流側であり、且つ、読取手段３８の読取領域より上流側となるように制御を行う。
【００２３】
プレ検出動作が終了した後、プリント部２に設けられた操作パネル６等によって読取動作開始指令が入力されると、読取手段３８による原稿読取動作を実行しながら上流側搬送手段３４と下流側搬送手段３７とによって原稿２０２は原稿搬送方向Ｙ１へ搬送される。上流原稿センサ６１が原稿２０２の後端を検出したとき、原稿２０２の後端は、搬送方向（Ｙ１方向）において、読取手段３８による読取領域より下流側であり、且つ、下流側搬送手段３７のニップ部より上流側となる位置まで搬送される。この状態で原稿読取動作は終了する。その後、操作パネル６等から排出動作開始指令が入力されると、原稿２０２は下流側搬送手段３７によって再び搬送され、下流側搬送手段３７の挟持から解放される。これにより、原稿２０２を取り出すことが可能になる。なお、原稿排出部３９を通過した原稿２０２は、搬送方向（Ｙ１方向）とは逆方向である搬送方向Ｙ２へと反転搬送され、読取装置３の上面側に排出される。このためユーザは、挿入口３Ａに原稿２０２を挿入する操作と読取済みの原稿２０２を取り出す操作とを同一方向（正面側）から行うことが可能になり、良好な操作性が得られる。本実施形態では、原稿読取動作終了後に、下流側搬送手段３７によって原稿２０２を挟持した状態で、原稿２０２の搬送動作を一旦停止する。しかし、原稿読取動作終了後に原稿２０２の搬送動作を停止させず、下流側搬送手段３７の挟持から解放されるまで搬送動作を行っても良い。
【００２４】
次に、図４に示すブロック図を参照して、本実施形態に係る制御系の概略構成を説明する。プリント装置１には、ホスト装置４０１が接続されており、ホスト装置４０１で生成した記録データや種々の制御コマンドが制御部４０２に送信される。制御部４０２は、主に、主制御部４０３、記録制御部４０４及び読取制御部４０５等を有している。主制御部４０３は、ＣＰＵ４０６、ＲＯＭ４０７及びＲＡＭ４０８を備えている。ＣＰＵ４０６は、ＲＯＭ４０７に記憶された各種プログラムやパラメータに従って、ＲＡＭ４０８をワークエリアとして用いながら、種々の演算を行ない、プリント装置１を統括的に制御する。記録制御部４０４は、主制御部４０３の指示に基づき、搬送モータ５１、吸引ファン５２、キャリッジモータ５４、記録ヘッド１３及びカッタ１６などの制御を行う。読取制御部４０５は、主制御部４０３の指示に基づき、原稿搬送モータ５３及び読取手段３８等の制御を行う。
【００２５】
次に、図５を参照して、本実施形態における読取装置３の移動手段８０を説明する。なお、図５は移動手段８０の構成を示す模式的斜視図である。原稿の読取動作を実行する場合、読取装置３は移動手段８０によって図５に示す読取位置に保持されている。
【００２６】
移動手段８０は、読取装置３の左右両側部にそれぞれ設けられた一対の移動手段８０によって構成されている。各移動手段８０は、左右対称となる点を除き、同一の構成を有している。よって、ここでは一方の移動手段８０について説明する。移動手段８０は、プリント部２に設けられた取付部材２１に対し、回動軸８１ａを中心として正方向（Ｒ２方向）及び逆方向（Ｒ１方向）へと回転移動可能に設けられた回動アーム８１と、回動アーム８１を付勢する付勢部材８２とを備える。回動アーム８１の一端部は読取装置３の側板３０に設けられた連結部材８３に固定されており、読取装置３は回動アーム８１と共に回動軸８１ａを中心としてＲ１方向及びＲ２方向へと回転移動する。
【００２７】
また、連結部材８３には外側方に突出する回動規制部材８４が設けられている。回動規制部材８４は、プリント部２の両側部に設けられた仮置き台７２の上面に相当する仮置き部７３と当接することによって回動アーム８１の正方向（Ｒ２方向）への回転を規制する。この回動規制部材８４と仮置き部７３とが当接した状態において、読取装置３は図５及び図８に示す読取位置に保持される。このように、仮置き台７２は、読取装置３を読取位置に保持する読取位置規制部材としての機能を果す。
【００２８】
また、取付部材２１には、退避位置規制部材２３が突設されている。この退避位置規制部材２３と回動アームと８１とが当接することにより回動アーム８１の逆方向（Ｒ１方向）への回転が規制され、読取装置３は図６に示す退避位置に保持される。
【００２９】
付勢部材８２は、一端が回動アーム８１に回動自在に連結され、他端が取付部材２１に回動自在に連結されている。本実施形態における付勢部材８２はガススプリングによって構成されており、その付勢力は以下のように決定されている。いま、読取装置３が自重によりＲ２方向へ回転するモーメントをＭＳとし、付勢部材８２の付勢力によりＲ１方向へ回転するモーメントをＭＦとする。読取装置３が読取位置にある場合、付勢部材８２の付勢力は、ＭＳ＞ＭＦとなるように決定されている。このため読取装置３はＲ２方向に回転するように付勢され、読取装置３は、回動規制部材８４と読取位置規制部材としての仮置き台７２とが当接した状態、すなわち、読取装置３が読取位置に保持された状態となる。
【００３０】
一方、読取装置３が退避位置にある場合、付勢部材８２の付勢力は、ＭＳ＜ＭＦとなるように決定されている。このため、読取装置３はＲ１方向に回転するように付勢され、回動アーム８１がプリント部２に設けられた退避位置規制部材２３に当接した状態、すなわち読取装置３が退避位置に保持された状態となる。なお、以下の説明において、読取装置３が読取位置にあるとき搬送経路３Ｐより上方に位置する部分を読取装置３の上方部と称し、搬送経路３Ｐより下方に位置する部分を読取装置３の下方部と称す。
【００３１】
次に、図６、図７及び図８を参照して、プリント装置１を使用する際の読取装置３の位置設定について説明する。図６は読取装置３を退避位置に移動させた状態を示す模式的断面図である。図７は読取装置３を退避位置に移動させた状態を示す模式的正面図である。図８は読取装置３を読取位置に移動させた状態を示す模式的断面図である。なお、図６及び図８では、読取装置３の主要部の構成を図示する都合上、読取装置３に設けられている側板３０は省略している。この点は、後述する図９〜図１０についても同様である。
【００３２】
ロールシート２０１をプリント部２の支持部７１にセットする場合、ユーザは、読取装置３を図５及び図８に示すように、プリント部２の上部を覆う位置から上方へと退避した図６に示す退避位置に移動させる。この後、ロールホルダ７にロールシート２０１を装着し、ロールホルダ７の両端部を読取装置３の左右両側部に配置された仮置き台７２の仮置き部７３に載置する。
【００３３】
次に、ロールシート２０１が装着されたロールホルダ７を、仮置き部７３から支持部７１に亘って斜め下方に傾斜する案内面７４に沿って移動させ、ロールホルダ７の両端部を一対の支持部７１に支持させる。これにより、ロールシート２０１はロールホルダ７を介してプリント部２内に回動自在に支持される。このように、ロールシート２０１を支持部７１に支持させるセット操作において、仮置き台７２は、ロールシート２０１を仮置き部７３から支持部７１へと案内する案内部材としての機能を果す。
【００３４】
ロールシート２０１のセット操作において、ロールシート２０１は、図６の一点鎖線で示す空間領域Ｓ内を移動する。図６に示す空間領域Ｓは、最大径及び最大幅を有するロールシート２０１を支持部７１にセットする際に、当該ロールシート２０１が移動する軌跡に相当する領域であり、ロールシート２０１を装着する際に必要な操作領域となる。従って、読取装置３の退避位置は、読取装置３及びその移動手段８０（回動アーム８１及び付勢部材８２等）が、操作領域Ｓの上方または背面側外方へと退避するような位置に定められている。
【００３５】
従って、読取装置３を退避位置へと移動させることにより、読取装置３及び移動手段８０と干渉することなく、スムーズにロールシート２０１をセット位置へとセットすることが可能になり、優れたセット性が得られる。
【００３６】
一方、読取装置３により原稿２０２の原稿読取動作を実行する場合には、図８に示すように、読取装置３を読取位置へと移動させる。ここでユーザは、原稿２０２の先端部を原稿セット部３１に載せ、原稿セット部３１に沿って、挿入口３Ａに挿入する。
【００３７】
読取装置３が読取位置にある場合、読取装置３の下方部の一部は、図８の一点鎖線に示す凹部２５内に位置する。このとき、記録ヘッド１３の上部を覆う閉塞位置にある上部カバー２４の外面は、原稿セット部３１の上面と近接した位置にある。このため、上部カバー２４の外面と原稿セット部３１の上面との間には、僅かな段差Ｌが生じるのみであり、実質的には鉛直方向（Ｚ方向）において略同一位置（高さ）に存在する。上部カバー２４は、その開閉操作を容易に行い得る高さに設けられており、これと略同一の高さ位置に原稿セット部３１の上面が位置することとなる。
【００３８】
そのため、原稿２０２を挿入口３Ａに挿入する場合、上部カバー２４と略同じ程度の高さにある原稿セット部３１に載せた後、原稿２０２をＹ１方向へと送り込むことによって容易に原稿２０２のセット操作を行うことができる。さらに、Ｙ１方向への原稿のセット操作および搬送動作において、原稿２０２は、原稿セット部３１だけでなく、上部カバー２４によっても支持案内される。従って、原稿２０２を支持案内する領域は上部カバー２４によって、Ｙ方向に拡大されることとなり、優れた原稿セット性が得られる。さらに、搬送動作における原稿の斜行なども抑制され、搬送精度も向上する。
【００３９】
また、上部カバー２４は、閉塞位置にあるとき、原稿２０２の搬送方向（Ｙ１方向）における上流部が下方に向けて湾曲する曲面部２４ａ有している。このような曲面部２４ａを形成することにより、上部カバー２４が直線的に形成されている場合に比べ、原稿２０２を支持案内する長さを長くとることが可能となる。このため、上部カバー２４の搬送方向（Ｙ１方向）における長さを十分にとれない場合にも、上部カバー２４のＹ方向における寸法を拡大せずに優れた原稿セット性が得られる。
【００４０】
また本実施形態では、読取装置３の回動規制部材８４を当接させて読取装置３を読取位置に保持する読取位置規制部材として、仮置き台７２を用いている。これは仮置き台７２が、ロールホルダ７及びロールシート２０１の最大重量に耐え得る剛性を備え、回動規制部材８４が突き当たった場合にも、変形を抑制することができ、読取位置を安定させることができるためである。
【００４１】
また、仮置き台７２は、ロールシート２０１のセット作業を容易にするため、凹部２５の下面より上方に突出するように構成されている。そのため、読取装置３は、図１及び図７に示すように、プリント部２の両側部に配置された仮置き台７２の間に配置可能な寸法（Ｘ方向における長さ）で構成されている。また、仮置き台７２が上方に突出する構成をとるため、これに合わせて、回動規制部材８４は、読取装置３の上方部に配置した連結部材８３に設けられている。このため、上方に突出する仮置き台７２の仮置き部７３に回動規制部材８４を当接させて読取装置３を読取位置に保持させた場合にも、読取装置３の原稿セット部３１と上部カバー２４との段差Ｌを略一致させることが可能になる。
【００４２】
プリント部２においてロールシート２０１のジャムが発生した場合や記録ヘッド１３の交換作業を行う場合、ユーザはプリント部２の内部にアクセスする必要がある。そのため、上部カバー２４は開閉可能に構成されている。上部カバー２４を開放位置へと移動させることによって、プリント部２の内部にアクセスすることが可能になり、ロールシート２０１のジャム処理や、記録ヘッド１３の交換作業が可能になる。ここで、上部カバー２４と読取装置３との位置関係について図９及び図１０を用いて説明する。
【００４３】
図９は上部カバー２４を、回転中心２４ｂを中心に開放位置へと移動させた状態を示す模式的断面図である。上部カバー２４を図９に示す開放位置で保持させるように構成した場合、上部カバー２４は、読取装置３の位置に関係なく、読取装置３と接触しないように開閉させることが可能である。
【００４４】
これに対し、操作空間をより大きく確保する等の理由により、上部カバー２４を図１０に示す開放位置まで移動させ得るように構成することも可能である。但し、この場合には、図８に示す読取位置に読取装置３が保持された状態で上部カバー２４を開くと、上部カバー２４が開放位置に達する前に読取装置３に当接してしまい、図１０に示す開放位置まで上部カバー２４を移動させることができない。
【００４５】
そのため、上部カバー２４の開閉途中で読取装置３に接触するような構成において、上部カバー２４を開放位置まで移動させる場合には、まず、読取装置３を退避位置へ移動させ、次に上部カバー２４を開ける、という手順をとる。また、読取装置３を読取位置へと移動させる場合には、読取装置３を移動させる前に、上部カバー２４を閉塞位置へと移動させることが必要になる。
【００４６】
なお、上部カバー２４の開放位置を読取装置３と接触する位置に設定するか否かは、ジャム処理や記録ヘッド１３の交換作業に要する操作空間の大きさ、上部カバー２４の開放角度や上部カバー２４の回転中心２４ｂの位置等によって決定される。さらに、読取装置３の読取位置も上部カバー２４の開放位置の決定要素となる。
【００４７】
なお、閉塞位置における上部カバー２４と読取位置における読取装置３の原稿セット部３１とは、互いにＹ方向にずれた位置関係にあることが好ましい。しかし、読取装置３のＹ方向における寸法次第では、読取装置３の原稿セット部３１の一部が上部カバー２４の上部に重なるように構成することも可能である。この場合、上部カバー２４を開放位置へと移動させる場合には、読取装置３の原稿セット部３１を移動させた後、上部カバー２４を開放させるようにする。
【００４８】
以上説明したように、本実施形態では、読取装置３による原稿２０２の読取動作は、読取装置３の一部がプリント部２の凹部２５内に位置する読取位置へと移動させて行う。そのため、ユーザは、プリント装置１の正面側から低い位置で原稿２０２のセット及び挿入操作を行うことが可能になる。また、原稿セット部３１と上部カバー２４との段差Ｌを略一致させることで、原稿セット部３１だけでなく、プリント部２の上部カバー２４によっても原稿２０２を支持案内させることが可能となり、優れた原稿セット性が得られる。さらに、原稿セット部３１を短くし、読取装置を小さくすることができる。
【００４９】
一方、プリント部２にロールシート２０１をセットする場合、ロールホルダ７及びロールシート２０１のセット時に必要となる操作領域Ｓより外方の退避位置へ読取装置３を移動させることが可能である。そのため、ロールシート２０１のセット操作において、ロールシート２０１が読取装置３と干渉することはなく、ロールシート２０１のセット性を向上させることができる。
【００５０】
（第２の実施形態）
次に、本発明の第２の実施形態について図１１及び図を参照して説明する。なお、第２の実施形態に示すプリント装置１は、読取装置３の読取位置が第１の実施形態に示したプリント装置１と異なる。但し、その他の点は上記第１の実施形態と同一であり、図１１においても、上記実施形態と同一もしくは相当部分には同一符号を付し、重複説明は省く。
【００５１】
以下、図１１を参照して、第２の実施形態における読取位置における読取装置３の位置関係について説明する。図１１は第２の実施形態に係るプリント装置１において、読取装置３が読取位置にある状態を示す模式的断面図である。ここで、図１１（ａ）は読取装置３を読取位置において傾けて配置した例を示し、図１１（ｂ）は読取装置３を読取位置において傾けずに配置した例を示している。
【００５２】
図１１（ａ）に示す例では、読取装置３が読取位置にあるとき、読取装置３の搬送方向（Ｙ１方向）における上流側部分が、下流側部分より下方（Ｚ１方向）に位置するように、読取装置３全体が傾いた状態で配置されている。この状態で、読取装置３の下方部の一部は、図１１の一点線で示している凹部２５内に位置している。読取装置３の原稿セット部３１の支持面３１ａとＹ方向とのなす角度（傾き角度）θは、原稿２０２のセット性を考慮すると、３０°以下にすることが望ましい。
【００５３】
ここで、読取位置にある読取装置３を傾けた状態で配置する理由について説明する。読取装置３の下方部には上流側搬送ローラ３２及び下流側搬送ローラ３５等を配置する必要があるため、読取装置３の原稿セット部３１の上面から読取装置３の下面までの高さＨ１を小さくするには限界がある。また、プリント部２の凹部２５の高さＨ２を大きくし過ぎるとロールホルダ７及びロールシート２０１を仮置き部７３に設置する場合に、ロールシート２０１との接触によるセット性の低下が懸念される。
【００５４】
従って、原稿セット部３１の支持面３１ａから読取装置３の下面までの厚さＨ１と、プリント部２の凹部２５の高さＨ２との関係は、Ｈ１＞Ｈ２となる場合がある。この場合、図１１（ｂ）に示すように、読取装置３を傾けない状態であれば、原稿セット部３１の支持面３１ａと上部カバー２４との段差Ｌは、（Ｈ２−Ｈ１）以上となる。この段差Ｌが大きくなれば、上部カバー２４が原稿２０２の非読取面を適正に支持案内することができなくなる虞がある。なお、上部カバー２４が原稿２０２の非読取面を支持案内するのに適した段差Ｌは３０ｍｍ以内である。
【００５５】
一方、図１１（ａ）のように、読取装置３全体を傾けることにより、原稿セット部３１の支持面３１ａと上部カバー２４との段差Ｌ１を、Ｌ（＝（Ｈ２−Ｈ１））未満にすることが可能となる。これにより、プリント部２の凹部２５の高さＨ２と、読取装置３における厚さＨ１との差分（Ｌ）が３０ｍｍより大きな場合にも、原稿セット部３１の支持面３１ａと上部カバー２４との段差Ｌ１を３０ｍｍ以内にすることが可能となる。従って、原稿セット部３１と共に上部カバー２４も原稿２０２の非読取面を適正に支持案内することが可能となる。
【００５６】
以上説明したように、図１１（ａ）に示す例では、読取装置３の搬送方向（Ｙ１方向）における上流側部分が、下流側部分より下方（Ｚ１方向）に位置するように、読取装置３全体が傾いた状態で配置されている。そのため、原稿セット部３１の支持面３１ａから読取装置３の下面までの厚さＨ１がプリント部２の凹部２５の高さＨ２より大きい場合であっても、原稿セット部３１の支持面３１ａと上部カバー２４との段差Ｌを小さくすることが可能となる。これにより、読取装置３の原稿セット部３１だけでなく、プリント部２の上部カバー２４も原稿２０２の非読取面を支持することが可能となり、優れた原稿セット性が得られる。さらに、原稿セット部３１を短くし、読取装置を小さくすることができる。
【００５７】
また、図１１（ｂ）のように読取位置において読取装置３を傾けないように構成した例にあっても、前述の段差Ｌが小さい場合（例えば３０ｍｍ以内である場合）には、原稿セット部３１と上部カバー２４とによって優れた原稿セット性を得ることができる。この場合にも、原稿セット部３１を短くすることができ、読取装置を小さくすることができる。  従って、図１１（ｂ）に示す例も本発明に包含される。
【００５８】
また、読取装置３を読取位置において傾けないように構成する場合、閉塞状態における上部カバー２４の上面の高さを上方に拡大することにより、読取位置における原稿セット部３１の支持面３１ａとの段差を小さくすることも可能である。
【００５９】
（他の実施形態）
上記実施形態において、読取装置３を読取位置と退避位置とに移動させる移動手段８０は、読取装置３を回動方向へと移動させるように構成されている。しかし、移動手段は、読取装置３をＺ方向（上下方向）へとスライドさせるように構成しても良い。
【００６０】
また、上記実施形態では、読取装置３の回動規制部材８４を連結部材８３に設けた例を示したが、読取装置３の移動手段８０に設けられている回動アーム８１に回動規制部材を設けても良い。さらに、読取装置３の回動規制部材８４と当接して読取装置３の読取位置を定める読取位置規制部材として、ロールホルダ７を支持させる仮置き台７２を用いる例を示したが、仮置き台７２とは別に、回動規制部材８４と当接する読取位置規制部材を設けても良い。仮置き台７２と読取位置規制部材とを別個に形成する場合、読取位置規制部材は、上記実施形態のように凹部２５の下面より上方に設けることも可能であるが、凹部２５の下面に設けることも可能である。凹部２５の下面に読取位置規制部材を設ける場合には、読取装置３の回動規制部材８４を読取装置３の下面に設けることが好ましい。そして、回動規制部材８４と読取位置規制部材の上下方向における当接位置を適宜設定することにより、原稿セット部３１と上部カバー２４との段差Ｌを小さくすることが可能になる。これにより、読取装置において良好な原稿のセット性を維持しつつ、原稿セット部を短くすることが可能になり、読取装置を小さくすることができる。
【符号の説明】
【００６１】
１  プリント装置
３  読取装置
１３  記録ヘッド（プリント手段）
２４  上部カバー（カバー部材）
３１  原稿セット部
３１ａ  支持面
７１  支持部
２０１  ロールシート
【図１】
2020120144.tif 000003
【図２】
2020120144.tif 000004
【図３】
2020120144.tif 000005
【図４】
2020120144.tif 000006
【図５】
2020120144.tif 000007
【図６】
2020120144.tif 000008
【図７】
2020120144.tif 000009
【図８】
2020120144.tif 000010
【図９】
2020120144.tif 000011
【図１０】
2020120144.tif 000012
【図１１】
2020120144.tif 000013
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
シートを支持する支持部と、
前記支持部から供給されたシートにプリントを行うプリント手段と、
前記プリント手段の上方において、原稿を支持する支持面を有する原稿セット部と当該原稿セット部から搬送された原稿を読み取る読取手段とを備える原稿読取装置と、を備え、
前記原稿読取装置が原稿の読み取りを行う読取位置と当該読取位置から退避する退避位置とに移動するプリント装置であって、
前記原稿読取装置の下方部より一部が上方で、前記プリント手段を覆うカバー部材を備え、
前記カバー部材は、前記原稿読取装置が前記読取位置にあるときに、前記支持面と共に原稿を支持案内する外面を有することを特徴とするプリント装置。
【請求項２】
前記退避位置は、前記支持部にシートをセットする際に当該シートが移動する空間領域の外側であることを特徴とする請求項１に記載のプリント装置。
【請求項３】
前記原稿読取装置は、前記原稿を所定の搬送方向へ搬送しつつ当該原稿の読み取りを行うことを特徴とする請求項１に記載のプリント装置。
【請求項４】
前記カバー部材は、前記プリント手段を覆う閉塞位置と前記プリント手段を開放する開放位置とに移動可能であることを特徴とする請求項１ないし３のいずれか１項に記載のプリント装置。
【請求項５】
前記カバー部材は、前記原稿読取装置が前記読取位置にあるとき、前記原稿読取装置と接触することなく前記閉塞位置と前記開放位置とに移動可能であることを特徴とする請求項４に記載のプリント装置。
【請求項６】
前記原稿セット部は、前記原稿読取装置が前記読取位置にあるとき、前記カバー部材と重ならない位置に位置することを特徴とする請求項５に記載のプリント装置。
【請求項７】
前記原稿セット部は、前記原稿読取装置が前記読取位置にあるとき、前記カバー部材と重なる位置に位置することを特徴とする請求項１ないし４のいずれか１項に記載のプリント装置。
【請求項８】
前記カバー部材は、前記プリント手段を覆う状態にあるとき、前記原稿の搬送方向における上流部が下方に向けて湾曲する曲面部を有することを特徴とする請求項１ないし７のいずれか１項に記載のプリント装置。
【請求項９】
前記原稿読取装置は、当該原稿読取装置の側部に設けられた移動手段によって前記読取位置と前記退避位置とに移動可能に保持されていることを特徴とする請求項１ないし８のいずれか１項に記載のプリント装置。
【請求項１０】
前記プリント手段は、シートを外部から前記支持部への移動を案内する案内部材を有し、
前記案内部材によって案内されるシートは、前記プリント手段に形成される空間領域を移動することを特徴とする請求項１ないし９のいずれか１項に記載のプリント装置。
【請求項１１】
前記案内部材は、シートを支持する仮置き部を有することを特徴とする請求項１０に記載のプリント装置。
【請求項１２】
前記プリント手段は、前記原稿読取装置を前記読取位置に支持する読取位置規制部材を有することを特徴とする請求項１ないし１１のいずれか１項に記載のプリント装置。
【請求項１３】
前記読取位置規制部材は、シートを外部から前記支持部への移動を案内する案内部材によって構成され、前記原稿読取装置は、シートを支持する仮置き部によって前記読取位置に支持されることを特徴とする請求項１２に記載のプリント装置。
【請求項１４】
前記原稿セット部の前記搬送方向における上流側部分は、前記搬送方向における下流側部分より下方に位置するように傾いていることを特徴とする請求項３ないし１３のいずれか１項に記載のプリント装置。
【手続補正２】
【補正対象書類名】明細書
【補正対象項目名】０００６
【補正方法】変更
【補正の内容】
【０００６】
本発明は、シートを支持する支持部と、前記支持部から供給されたシートにプリントを行うプリント手段と、前記プリント手段の上方において、原稿を支持する支持面を有する原稿セット部と当該原稿セット部から搬送された原稿を読み取る読取手段とを備える原稿読取装置と、を備え、前記原稿読取装置が原稿の読み取りを行う読取位置と当該読取位置から退避する退避位置とに移動するプリント装置であって、前記原稿読取装置の下方部より一部が上方で、前記プリント手段を覆うカバー部材を備え、前記カバー部材は、前記原稿読取装置が前記読取位置にあるときに、前記支持面と共に原稿を支持案内する外面を有することを特徴とする。